(57)【要約】【課題】安定した所定の荷重で容易に取り付けできる。【解決手段】照明器具１を取付穴３を通して天井２に取り付ける。照明器具１は、電球を内蔵した筐体４の各角部に凹部８を設け、凹部８に軸部１３とストッパー部１５を一体に回転可能に設けた。ストッパー部１５を回転させることで、筐体４の凹部８内に後退した格納位置とフランジ部９との間で天井２を挟んで固定する突出位置とに選択的に位置させる。ストッパー部１５は、軸部１３に嵌合させる基部と上下方向に湾曲する弾性変化可能な傾斜部１９とを対向させて一対形成した。【選択図】図２
2015095359.tif 000002
【特許請求の範囲】
【請求項１】
取付面の被取付部に取り付け可能な器具本体と、
前記器具本体に設けた受け部と、
前記受け部との間で前記被取付部を挟むストッパー部と、
前記器具本体に設けられていて前記ストッパー部を支持して回転可能な軸部とを備え、
前記軸部と一体にストッパー部を回転させて前記受け部との間で前記被取付部を挟持して固定するようにしたことを特徴とする取付器具。
【請求項２】
前記ストッパー部は弾性を有する弾性押圧部を有しており、該弾性押圧部で前記被取付部を押圧するようにした請求項１に記載された取付器具。
【請求項３】
前記器具本体は第一係止部を備え、前記ストッパー部は前記受け部との間で前記被取付部を押圧する突出位置で前記第一係止部に係合する係合具を備えた請求項１または２に記載された取付器具。
【請求項４】
、
前記器具本体は、前記ストッパー部を前記器具本体内に後退させた格納位置で係止する第二係止部を備えた請求項１から３のいずれか１項に記載された取付器具。
【請求項５】
前記器具本体は平面視略四角形状に形成され、その各角部に前記ストッパー部と軸部が設けられていて、前記ストッパー部は隣接する角部で互いに逆方向に回転して前記被取付部に突出するように設置した請求項１から４のいずれか１項に記載された取付器具。
【請求項６】
前記ストッパー部は前記軸部に沿って高さ位置を調整可能とした請求項１から５のいずれか１項に記載された取付器具。
【請求項７】
前記器具本体のストッパー部と反対側の面において、前記器具本体は第一指示部を備え、前記軸部は第二指示部を備え、前記ストッパー部が受け部との間で前記被取付部を押圧する位置で、前記第一指示部と第二指示部が対向する位置にある請求項１から６のいずれか１項に記載された取付器具。
【請求項８】
天井の被取付部に取り付け可能な照明器具と、
前記照明器具に設けた受け部と、
前記受け部との間で前記天井の被取付部を挟むストッパー部と、
前記照明器具に設けられていて前記ストッパー部を支持して回転可能な軸部とを備え、
前記軸部と一体にストッパー部を回転させて前記受け部との間で前記被取付部を挟持して固定するようにしたことを特徴とする浴室。
【発明の詳細な説明】
【技術分野】
【０００１】
本発明は、浴室等の天井や壁面等の取付面における被取付部に取り付け可能な照明器具等の取付器具と、照明器具を取り付けた浴室とに関する。
【背景技術】
【０００２】
従来、浴室等の天井に取り付ける照明器具やスピーカ等の各種の取付器具は、ねじ等で天井の被取付部に固定する構造のものや、板バネ等で固定する構造のもの等が知られている。
前者の例として、特許文献１に記載された取り付け装置は、天井にスピーカを取り付けるものである。この取り付け装置は、スピーカ本体の下部に設けたフランジ部に取り付けねじを設け、スピーカ本体を天井の取付穴に嵌め込む。そして、天井の下側である室内側から取り付けねじを回すことで、取り付けねじに設けたストッパーを下方に移動させ、フランジ部とストッパーとで天井を挟んでスピーカを固定するようにしている。
【０００３】
また、後者の例として、特許文献２に記載された照明装置は、照明装置本体を天井に取り付けるものである。この照明装置は照明装置本体の周縁部に例えば３本の板バネを所定間隔で取り付けてあり、各板バネを照明装置本体側に畳んだ状態で天井の取付穴に挿入し、その後、板バネがその付勢力によって広がることで取付穴に板バネを係止させて保持することができるようにしている。
【先行技術文献】
【特許文献】
【０００４】
【特許文献１】実公平７−３１６６７号公報
【特許文献２】特許第４５５８０５３号公報
【発明の概要】
【発明が解決しようとする課題】
【０００５】
しかしながら、特許文献１に記載された取り付け装置では、取り付けねじの締め付け力によって締め付け強度のバラツキが発生し、締め付け力が弱いと天井に取り付けたスピーカにガタが生じてしまい、パッキンによる止水ができなくなるおそれもあった。締め付け力が強すぎるとスピーカや天井が破損する恐れがあった。特に、近年の天井は石膏ボードを用いているものが多いため、締め付け力が強すぎると天井が損傷する恐れがあった。
【０００６】
また、特許文献２に記載された照明装置では、取り付け性を考慮すると板バネを長く設定する必要が生じ、取り付けスペースを広くとる必要があった。また、照明装置が大型化すると取り付ける板バネの数を増やす必要が生じ、１人で多数の板バネを折り畳みながら照明装置を天井の取付穴に挿入して取り付け作業を行うことは困難であった。
【０００７】
本発明は、このような課題に鑑みてなされたものであって、安定した所定の荷重で容易に取付面の被取付部に取り付けできるようにした取付器具と浴室を提供することを目的とする。
【課題を解決するための手段】
【０００８】
本発明による取付器具は、取付面の被取付部に取り付け可能な器具本体と、器具本体に設けた受け部と、受け部との間で被取付部を挟むストッパー部と、器具本体に設けられていてストッパー部を支持して回転可能な軸部とを備え、軸部と一体にストッパー部を回転させて受け部との間で被取付部を挟持して固定するようにしたことを特徴とする。
本発明による取付器具は、天井や壁面等の取付面の被取付部に器具本体を設置して受け部を当接させた状態で、軸部を中心にストッパー部を回転させることで、取付面の被取付部を受け部とストッパー部とで挟んで取付器具を固定することができる。そのため、ねじによる締め付けを要しないために取付器具の取り付け力が一定であり、板バネ等を用いないために取り付け作業が容易である。
【０００９】
また、ストッパー部は弾性を有する弾性押圧部を有しており、該弾性押圧部で被取付部を押圧することが好ましい。
ストッパー部は弾性押圧部を有するため、弾性押圧部で被取付部を抑え込んで、受け部との間で被取付部を弾性的に挟持できる。
【００１０】
また、ストッパー部は、受け部との間で被取付部を押圧する突出位置で器具本体に設けた第一係止部に係合する係合具を備えることが好ましい。
ストッパー部を回転させて突出位置で取付面の被取付部を受け部との間で挟んだ状態で、ストッパー部の係合具を器具本体の第一係止部と係止できるため、取付器具を確実に被取り付け部に固定保持できる。
【００１１】
また、器具本体は、ストッパー部を器具本体内に後退させた格納位置で係止する第二係止部を備えることが好ましい。
格納位置に後退したストッパー部を係止させる第二係止部を器具本体に設けることで、取付器具を運搬したり保管したり、或いは取付面の被取付部に取り付ける際、ストッパー部が外れたり飛び出したりすることがないため、運搬や取り付け作業等が容易で確実に行える。
【００１２】
また、器具本体は平面視略四角形状に形成され、その各角部にストッパー部と軸部が設けられていて、ストッパー部は隣接する角部で互いに逆方向に回転して被取付部に突出するように設置してもよい。
器具本体の各角部に設けたストッパー部を隣接する角部間で互いに逆方向に回転して被取付部に突出させるようにしたため、器具本体の四隅でストッパー部の占有面積を小さくできるので邪魔にならず、照明装置として用いた場合に照明光の影になる部分が少なくバランス良く照明できる。
【００１３】
また、ストッパー部は軸部に沿って高さ位置を調整可能としてもよい。
被取付部の厚さに応じて受け部との間で被取付部を押圧するストッパー部の高さを調整して挟持できる。
【００１４】
また、器具本体のストッパー部と反対側の面において、器具本体は第一指示部を備え、軸部は第二指示部を備え、ストッパー部が受け部との間で被取付部を挟む位置で、第一指示部と第二指示部が対向する位置にあることが好ましい。
軸部を回転させてストッパー部が受け部との間で被取付部を挟む位置で、器具本体に設けた第一指示部と軸部に設けた第二指示部を対向させることで、ストッパー部と反対側の面から被取付部を挟持したことを確認できる。
【００１５】
本発明による浴室は、天井の被取付部に取り付け可能な照明器具と、照明器具に設けた受け部と、受け部との間で天井の被取付部を挟むストッパー部と、照明器具に設けられていてストッパー部を支持して回転可能な軸部とを備え、軸部と一体にストッパー部を回転させて受け部との間で被取付部を挟持して固定するようにしたことを特徴とする。
本発明による浴室は、天井の被取付部に照明器具を設置して受け部を当接させた状態で、軸部を中心にストッパー部を回転させることで、取付面の被取付部を受け部とストッパー部とで挟んで照明器具を取り付けることができる。
【発明の効果】
【００１６】
本発明による取付器具と浴室によれば、ストッパー部を回転させて取付面の被取付部を受け部とストッパー部とで安定した荷重で挟んで器具本体や照明器具を取り付けることができるため、器具本体や照明器具の取り付け力が一定である上に取り付け作業が容易である。
【図面の簡単な説明】
【００１７】
【図１】本発明の実施形態による照明器具を背面側から見た斜視図である。
【図２】照明器具のフランジ部とストッパー部とで天井の被取付部を挟んだ状態を示す図１のＡ−Ａ線破断図である。
【図３】図１に示す照明器具の平面図である。
【図４】照明器具を電球側から見た図である。
【図５】照明器具の角部に設けたストッパー部を格納位置に後退させた状態を示す要部斜視図である。
【図６】照明器具の角部に設けたストッパー部を突出位置に突出させた状態を示す要部平面図である。
【図７】ストッパー部と軸部の分解斜視図である。
【図８】照明器具の角部を浴室の室内側から見た要部斜視図である。
【図９】（ａ）、（ｂ）はストッパー部の傾斜部の変形例を示す図である。
【図１０】（ａ）、（ｂ）は照明器具の変形例を略図で示す平面図である。
【発明を実施するための形態】
【００１８】
以下、本発明の実施形態による照明器具とその取付機構について図１乃至図８に基づいて説明する。
図１及び図２に示す本実施形態による照明器具１は例えば浴室等の天井２の取付穴３に埋め込むタイプのものである。この照明器具１は図示しない電球を収容する例えば略蒲鉾型の筐体４を照明器具本体として備えている。四角形枠状の支持枠５とグローブ６を接合（接着等）した後で、筐体４の下向きの開口４ａにパッキンを介して支持枠５及びグローブ６が取り付けられている。
【００１９】
図３に示すように、筐体４は平面視で例えば長方形等の四角形状であり、その背面側の４つの角部には凹部８が形成されている。これらの凹部８は図４に示す筐体４の開口４ａ側から見ると内側に突出する凸部８Ａを形成する。図４では、筐体４の開口４ａに設けた支持枠５とグローブ６は省略されている。
また、筐体４の周囲には略四角形枠状のフランジ部９が受け部として形成されている。天井２とフランジ部９との間にもパッキンが取り付けられている。筐体４の各角部に設けた各凹部８には、照明器具１を天井２の取付穴３に着脱可能に取り付けるための取付機構１０が設けられている
【００２０】
次に、取付機構１０について説明する。
図３において、筐体４の背面の各角部に設けた凹部８は平面視で角部を頂点とする略三角形で中央に角部に向けて突出する半島部１２が形成されている。そのため、凹部８は半島部１２で２つの小凹部８ａ，８ｂに分けられている。図５及び図６において、一方の小凹部８ａには軸部１３が植設され、この軸部１３は凹部８の壁面に固定された固定板１４に回転可能に支持されている。
【００２１】
この軸部１３には、筐体４のフランジ部９と天井２の取付穴３近傍の被取付部３ａを挟んで照明器具１を固定するためのストッパー部１５が支持されている。
ストッパー部１５は軸部１３を中心に一体回転可能であり、その回転範囲の一方の端部が筐体４の外側に突出してフランジ部９と共に天井２の被取付部３ａを挟み、回転範囲の他方の端部で凹部８の他方の小凹部８ｂに後退して平面視で筐体４内に格納されることになる。ストッパー部１５が筐体４の外側に突出した位置を突出位置とし、筐体４内に後退した位置を格納位置というものとする。
【００２２】
ストッパー部１５は、図７に示すように、軸部１３に嵌合させるＤカット穴１７ａを形成した基部１７と基部１７から延びるアーム部１８と外側に湾曲する凹曲面状の傾斜部１９とを備えており、これら基部１７、アーム部１８及び傾斜部１９は側面部２０を挟んで対称に一対形成されている。傾斜部１９は弾性を有する板バネ部材であり、側面部２０側から離間する方向に延びるに従って次第に幅広になると共に外側に湾曲し、しかも先端部はわずかに内側に湾曲または屈曲する当接部１９ａを形成し、当接部１９ａで天井２の被取付部３ａを押圧可能としている。また、側面部２０には切欠を形成して傾斜部１９と反対側に突出するフック状の爪部２１が係合具として設けられている。
【００２３】
また、軸部１３は、図７に示すようにストッパー部１５の基部１７を取り付ける取付領域１３ａが断面円形の一部をＤ型にカットしたＤ部断面を形成しており、その上下方向位置に複数の溝部１３ｂを形成している。そして、ストッパー部１５の基部１７のＤカット穴１７ａを軸部１３の取付領域１３ａに挿通させて基部１７の上下の溝部１３ｂにＥリング２３を嵌合させることで固定する。そのため、ストッパー部１５は軸部１３と一体に回転可能である。また、ストッパー部１５は上下反転させて他方の基部１７を軸部１３に取り付け可能であり、時計回り用と反時計回り用として選択的に用いることができる。
【００２４】
また、図５及び図６において、凹部８における軸部１３を取り付けた一方の小凹部８ａには、突出位置にあるストッパー部１５の爪部２１を係止させるための断面略円弧状の係合突部２５が上下方向に延びている。しかも、爪部２１と係合突部２５を断面円弧状に形成することで係合時にクリック感を作業者に与えることができる。
また、凹部８における軸部１３を設けない他方の小凹部８ｂには、格納位置にあるストッパー部１５の傾斜部１９の当接部１９ａが弾性変形して係止するように突部形状の回転規制部２６が底面に設けられている。そのため、傾斜部１９の当接部１９ａが回転規制部２６に係止した状態で、照明器具１を天井２から着脱したり運搬したりする際に、ストッパー部１５が揺動したり凹部８から外れたりすることがない。
なお、係合突部２５をストッパー部１５の第一係止部とし、回転規制部２６を同じく第二係止部というものとする。
【００２５】
また、図８に示すように、軸部１３は筐体４の凹部８の底部を貫通して筐体４の開口４ａ側（浴室の室内側）の凸部８Ａに突出するものとし、開口４ａ側に突出した軸部１３の先端面には、例えばマイナスドライバー等の工具で軸部１３を回転させるための直線状の凹溝２８が形成されている。マイナスドライバーで軸部１３を正逆回転させることで、ストッパー部１５を突出位置と格納位置とに選択的に位置させることができる。図８に示す例では、凹部８を開口４ａ側から見た場合に凸部８Ａとして現れるので、開口４ａ側の凸部８Ａの面を表面２９として、ストッパー部１５が突出位置にある場合に、表面２９に設けた突起や目印等の第一指示部３０と軸部１３の先端面に設けた突起や目印等の第二指示部３１とが対向するように設定されている。或いは、またはこれに加えて、第一指示部３０と第二指示部３１は格納位置で対向するように設定してもよい。
【００２６】
図３に示す筐体４の背面側の各角部に設けた凹部８に、上述したストッパー部１５がそれぞれ設置されている。ここで、筐体４の各角部に設けた凹部８と取付機構１０の配列について説明すると、隣り合う角部間で小凹部８ａと８ｂとが左右逆に形成されて凹部８が形成されており、各小凹部８ａに軸部１３とストッパー部１５が設置されている。そのため、筐体４の対角線上に対向する角部には凹部８とストッパー部１５が回転対称の位置に設置され、隣り合う角部では線対称の位置に設置されている。
【００２７】
図４において、筐体４を開口４ａ側から見た場合、各角部の凹部８は凸部８Ａとして開口４ａの各角部に突出して現れる。図４において、筐体４の開口４ａの各角部に現れる凸部８Ａは上下方向と左右方向で互いに線対称に現れるから、各軸部１３は仮想の四角形の各角部またはその近傍に位置することになり、照明器具１をバランスよく天井２の被取付部３ａに固定することができる。そして、筐体４の各角部でストッパー部１５を突出位置に配置して、各ストッパー部１５の当接部１９ａ同士を仮想の直線で結ぶことで四角形、特に正方形となるように設置すると、天井２への照明器具１の取り付け強度が高くバランスするため、好ましい。
【００２８】
しかも、図４において、凸部８Ａ（凹部８）を開口４ａの各角部のできるだけ隅に寄せて設置することで、電球を照射した際にグローブ６の光がバランスよく浴室内に照射され、開口４ａにおける一部の角部に設けた凸部８Ａがアンバランスに暗くなる遮蔽物となることを防止できる。仮に、ストッパー部１５をねじで固定すると、締め付けの回転方向が全て反時計回りになるため、凸部８Ａの位置と占有面積が隣接する角部間で回転対称の位置に変化してしまい、照明光の影がアンバラスになる欠点が生じる
【００２９】
本実施形態による照明器具１は上述の構成を備えており、次に天井２への取り付け方法について説明する。
まず、図１及び図３に示すように、照明器具１の筐体４の背面における四隅の各凹部８内でストッパー部１５を回転規制部２６に係止させた格納位置において、ストッパー部１５は筐体４の外側に突出していないから、筐体４を浴室内から天井２の取付穴３に嵌め込むことができる。そして、片手で筐体４を抑えながらマイナスドライバーを一の軸部１３の先端面の凹溝２８に差し込んで一方向、例えば時計回りに回転させる。
【００３０】
これによって、軸部１３と一体にストッパー部１５が回転するから、傾斜部１９の当接部１９ａが回転規制部２６から外れ、フランジ部９を超えて天井２の被取付部３ａ上の突出位置に至る。ストッパー部１５が突出位置に至ると、傾斜部１９は当接部１９ａで天井２の被取付部３ａを押圧してフランジ部９との間で被取付部３ａを挟持する。そして、ストッパー部１５の回転完了時に、ストッパー部１５に設けた爪部２１が小凹部８ａに設けた係合突部２５に係合することでクリック感を認識できる。
【００３１】
次に、筐体４の隣接する角部において、同様にマイナスドライバーを軸部１３の先端面の凹溝２８に差し込んで上記の場合とは逆方向に回転させることで軸部１３を例えば反時計回りに回転させる。これによって格納位置のストッパー部１５を回転規制部２６から外して反時計回りに回転させ、傾斜部１９の当接部１９ａがフランジ部９との間で天井２の被取付部３ａを押圧して挟持する突出位置に至る。しかも、ストッパー部１５の爪部２１が係合突部２５に係合することでクリック感を認識できる。
このように、４つの角部において、図３で矢印で示すように、軸部１３を順次逆方向に回転させることで、各角部に設けたストッパー部１５を突出位置に回動させて、天井２の被取付部３ａを四角形の角部をなすように４箇所で押圧挟持して、照明器具１の取付を完了する。
【００３２】
なお、照明器具１を天井２から取り外すには、各軸部１３を取り付け時と逆方向に順次回転させることで、各ストッパー部１５を天井２の被取付部３ａから後退させて、筐体４の小凹部８ｂに設けた回転規制部２６に傾斜部１９の当接部１９ａを当接させて弾性変形させることで、格納位置に係止できる。この状態で、各ストッパー部１５は平面視で筐体４内に位置するから、照明器具１を天井２の取付穴３から外すことができる。
【００３３】
上述のように本実施形態による照明器具１によれば、筐体４の背面の４つの角部に凹部８と軸部１３にストッパー部１５を設けた取付機構１０をそれぞれ設置し、ねじを用いることなく軸部１３の正逆回転でストッパー部１５を突出位置と格納位置との間で回転できる。そのため、隣合う角部間で線対称となるように凹部８と取付機構１０を設置できるので、各角部の小さい占有スペースによって照明器具１を天井２に着脱することができる。そして、ストッパー部１５の突出位置で、４個のストッパー部１５が四角形の各角部に相当する位置で被取付部３ａを押圧固定するので照明器具１を強固に固定できる上に、グローブ６の各端部までバランスよく照明することができ、一部の凸部８Ａがアンバランスに暗い影をつくる遮蔽物にならない。
しかも、ストッパー部１５は断面コの字形状で、基部１７とアーム部１８と傾斜部１９とを上下方向に対称に一対形成したから、上下反転させて軸部１３に嵌合させることで、時計回り回転用と反時計回り回転用のいずれにも用いることができる。
また、天井２を照明器具１のフランジ部９とストッパー部１５で挟持する構造であるため、フランジ部９の幅を小さくすることができる。これによって、グローブ６の隅まで照明光が当たり、グローブ６全体で光のムラを無くすことができる。
【００３４】
また、各取付機構１０のストッパー部１５は軸部１３の正逆回転で突出位置と格納位置とに選択的に回動でき、突出位置では傾斜部１９の弾性で天井２をフランジ部９に押圧して固定できる上に、爪部２１で係合突部２５に係合させて作業者がクリック感を認識できる。また、ストッパー部１５は、格納位置では筐体４内に納められるため、着脱操作時や運搬時等に邪魔にならない。
しかも、浴室の室内側から照明器具１を天井２の取付穴３に装着する際、開口４ａ側から各軸部１３の凹溝２８を回転操作し、軸部１３の先端部の第二指示部３１を凸部８Ａの表面２９の第一指示部３０に一致させることでストッパー部１５が突出位置にあることを確認できる。
【００３５】
なお、本発明による照明器具１は、上述した実施形態に限定されるものではなく、本発明の要旨を逸脱しない範囲で適宜の変更や置換等が可能である。
例えば、上述した実施形態において、軸部１３に２条の溝部１３ｂを設置してＥリング２３間にストッパー部１５の基部１７を嵌挿させるようにしたが、図７で一点鎖線で示すように軸部１３に溝部１３ｂを３条以上設けて、天井２の厚み等に応じてストッパー部１５の高さ位置を調整できるようにしてもよい。この場合、回転規制部２６は小凹部８ｂの底部に設置したため、ストッパー部１５の高さの変化に対応することは困難であるが、回転規制部２６も爪部２１を係合する係合突部２５と同様に上下方向に形成すれば、ストッパー部１５の高さの変化に対応して格納位置で傾斜部１９を係止することができる。  
【００３６】
また、ストッパー部１５は、側面部２０の両側に基部１７とアーム部１８と傾斜部１９を対称に一対形成したが、基部１７とアーム部１８は一つの部材で形成してもよく、傾斜部１９を上下反転しても使用できるように一対設けるようにしてもよい。
また、ストッパー部１５の弾性押圧部として、外側に凹曲面状に湾曲形成された傾斜部１９を設けたが、弾性押圧部はこのような形状のものに限定されることなく、弾性的に天井２の被取付部３ａを押圧できるものであれば、適宜形状を採用できる。例えば、弾性押圧部として、上述した傾斜部１９に代えて、側面部２０側から離間する方向に向けて外側に平面状に傾斜する板バネ部材を設けてもよい。或いは、図９（ａ）、（ｂ）に示すように階段状に外側に変化する段付き形状部や、凸曲面状に湾曲する湾曲部等を採用してもよい。
【００３７】
また、上述した実施形態において、ストッパー部１５は突出位置でクリック感を得るために爪部２１を設けたが、爪部２１や係合突部２５、そして格納位置における回転規制部２６を設けなくてもよく、傾斜部１９が天井２の被取付部３ａや凹部８の底部に弾性的に当接することによっても突出位置と格納位置で係止保持できる。
また、筐体４の開口４ａ側から見た軸部１３の先端面には、直線の凹溝２８に代えて六角溝を形成して六角レンチで回転させてもよく、或いは十字形状の凹溝等を形成してもよい。
【００３８】
なお、上述した実施形態では、浴室の天井に取り付ける照明器具１について説明したが、浴室に限定されることなく、居間等、他の部屋や空間等にも装着することができる。また、照明器具１の取り付け位置は天井２に限定されるものではなく、壁面等にも取り付けることができる。
また、上述した実施形態では、筐体４の各角部に設けた凹部８と取付機構１０とを順次線対称になる逆向きの配置にしたが、これに代えて同一の向きに配置してもよい。この場合、筐体４の開口４ａから照射される照明光の各凸部８Ａの影がアンバランスになるが、軸部１３を同一方向に回転させてストッパー部１５を突出位置と格納位置に移動できるため、照明器具１の天井２への取り付け強度と取り付けの容易さを確保できる。
また、照明器具１は図１０に示すように円形状照明器具１Ａであったり長方形状照明器具１Ｂであってもよい。その場合、略図で示す凹部８と取付機構１０は円形状照明器具１Ａでは１２０°間隔に設置してもよく、長方形状照明器具１Ｂでは４つの角部に加えて長辺の中央にも設けられていてもよい。
また、本発明は、照明器具１に限定されるものではなく、スピーカ等、適宜の取付器具として採用することができる。
【符号の説明】
【００３９】
１  照明器具
２  天井
３ａ  被取付部
４  筐体
４ａ  開口
８  凹部
８ａ、８ｂ  小凹部
８Ａ  凸部
９  フランジ部
１０  取付機構
１３  軸部
１５  ストッパー部
１７  基部
１８  アーム部
１９  傾斜部
１９ａ  当接部
２１  爪部
２５  係合突部
２６  回転規制部
２８  凹溝
３０  第一指示部
３１  第二指示部
【図１】
2015095359.tif 000003
【図２】
2015095359.tif 000004
【図３】
2015095359.tif 000005
【図４】
2015095359.tif 000006
【図５】
2015095359.tif 000007
【図６】
2015095359.tif 000008
【図７】
2015095359.tif 000009
【図８】
2015095359.tif 000010
【図９】
2015095359.tif 000011
【図１０】
2015095359.tif 000012